(57)【要約】【課題】身近な場所でいつでも手軽に、遠赤外線およびマイナスイオンによる諸々の温浴健康効果が期待される岩盤温浴装置を提供すること。【解決手段】ブラックシリカ等の礫状の鉱石（1）を薄く敷設して表層（11）を形成し、当該表層（11）の上に凝固材（2）を流して凝固した岩板（10）を形成した後、該岩板（10）の凝固材（2）部分の下に発熱体（5）を設けてボックス（7）で覆い岩盤プレート（30）を形成する。当該岩盤プレート（30）をベッド等の表面に1以上着脱自在に電気的に接続して装填した岩盤温浴装置である。【選択図】図９
0003122095.tif 000002
【実用新案登録請求の範囲】
【請求項１】
遠赤外線放射特性の鉱石（1）を表層（11）にして凝固形成した薄い岩板（10）の下に保護材（4）と発熱体（5）と断熱材（6）を順次設け、前記岩板（10）の表層（11）を露出させてボックス（7）で囲繞し接続端子(21)を備えた岩盤プレート（30）を着脱自在に設けた岩盤温浴装置。
【請求項２】
前記岩盤プレート（30）は、礫状等の鉱石（1）を薄く敷設して表層（11）を形成し、当該表層（11）の上に凝固材（2）を流して凝固した薄い岩板（10）と、該岩板（10）の凝固材（2）部分の下に設けた発熱体（5）とをボックス（7）で覆ったもので、凝固材（2）を特殊セメント（12）とし、前記岩板（10）の下に保護材（4）、発熱体（5）、断熱材（6）を順次設け、これらを岩板（10）表層上面が露出するようにボックス（7）で覆い、前記岩板（10）とボックス（7）との隙間にコーキング（3）を施して形成したものである請求項１記載の岩盤温浴装置。
【請求項３】
前記岩盤プレート（30）は、表層（11）と凝固材（2）である特殊セメント（12）との間に表層と異なる特性の鉱石（1）を主成分とするで中間層（13）を設けて、３つ以上の層からなる岩板（10）であることを特徴とする請求項１〜請求項２のいずれかに記載の岩盤温浴装置（40）。
【請求項４】
前記遠赤外線放射特性の鉱石（1）はブラックシリカ（黒鉛硅石）であり、中間層は、ゲルマニウム鉱石及び又はトルマリン鉱石である請求項１〜請求項３いずれかに記載の岩盤温浴装置。
【請求項５】
前記岩板（10）は、表層（11）表面にブラックシリカを露出させたもの、或いは表層（11）表面に凸凹を形成して凸条部（14）及び凹溝部（15）を形成したもの或いは多数浅いの小孔を形成して表面積を拡大してブラックシリカを露出させたものであることを特徴とする請求項１〜請求項４いずれかに記載の岩盤温浴装置。
【請求項６】
前記岩板（10）の表層（11）表面に凸条部（14）及び凹溝部（15）を形成したものにおいて凹溝部（15）の底面が中央を高くして曲線状に湾曲しているか、傾斜して形成したことを特徴とする請求項１〜請求項５のいずれかに記載の岩盤温浴装置。
【請求項７】
前記岩盤プレート（30）は岩板（10）を上層上面が露出するようにボックス（7）で覆った上段プレート（31）と、発熱体（5）と、断熱材（6）をボックス（7）で覆った下段プレート（32）の二段構成からなり、前記上段プレート（31）と下段プレート（32）で前記発熱体（5）を挟着して交換自在にしたことを特徴とする請求項1〜請求項６のいずれかに記載の岩盤温浴装置。
【請求項８】
前記岩盤プレート（30）を設けた岩盤温浴装置は、背板（41）、腰板（42）、腿板（43）、脚板（44）からなるベッドであり、背板（41）、腰板（42）、腿板（43）、脚板（44）は電動モータによって屈折起伏回動自在であることを特徴とする請求項１〜請求項７いずれかに記載の岩盤温浴装置。
【請求項９】
前記背板（41）、腰板（42）、腿板（43）、脚板（44）のうち少なくともいずれか１つの板に、少なくとも1つ以上の岩盤プレート（30）を着脱自在に埋設したことを特徴とする請求項１〜請求項８いずれかに記載の岩盤温浴装置。
【請求項１０】
前記岩盤プレート（30）を設けた岩盤温浴装置（40）は、リクライニングシート仕様にしたことを特徴とする請求項１〜請求項９いずれかに記載の岩盤温浴装置。
【考案の詳細な説明】
【技術分野】
【０００１】
本考案は、鉱石から発する遠赤外線放射や温熱を付与する岩盤温浴装置に関する。
具体的には、水やお湯を使用せずに温められた岩盤プレートの上に横臥するだけで天然鉱石から放射される遠赤外線やマイナスイオン効果のある温浴ができる健康や美容分野に属する岩盤温浴装置に関する。
【背景技術】
【０００２】
健康に高い関心を持つ人々の間で、いわゆる岩盤浴が行われている。
これは、暖かい岩盤の上に横臥したり座したりすることにより、遠赤外線放射で身体を暖め、鉱石から発する特性や温熱を受けて血行を促進し新陳代謝を高めようというものである。
【０００３】
例えば、温泉や風呂で湯水に浸かる場合と比べ、水圧による影響を受けないことから、心臓などに疾患のある人や高齢者にも適すると言われている。
また、ある種鉱石の発する遠赤外線の振動数は人体を含む有機物質を構成する分子の固有振動数と近いため、遠赤外線を受けると分子振動の共鳴による増幅によって体温が上昇する温熱効果があるといわれている。
【０００４】
鉱石その他の物質が放射する遠赤外線等の質や量は、鉱石組成物質の種類に依存することから、可能な条件下で遠赤外線の放射率の高い鉱石を含む岩盤を選ぶことが必要である。
【０００５】
しかし、遠赤外線の放射率の高い鉱石を探し出し、天然岩盤浴をするためには、温泉場など地熱によって加熱された岩盤が地表に露出している特定の場所まで出向かなければならないし、頻繁に出かけることは現実には難しい。
更に、岩石を切り出し、室内に岩石を搬入し、岩盤浴室を作ることも行われているが、このような施設の施工には極めて費用がかかるという問題があった（特開2002-35078号）。
岩盤浴場に出かけなくても、自宅などの身近な場所で、岩盤浴と同じような温浴効果で身体を暖めることができる手段は、サウナ、スポーツジム、エステティックサロン、理美容院などで、広く求められている。
【特許文献１】特開2002-35078号「ラジウム放射線温浴施設」
【考案の開示】
【考案が解決しようとする課題】
【０００６】
そこで、本考案は第一に、岩盤浴設備として大掛かりな工事をすることなく、身近な場所でいつでも手軽に、遠赤外線およびマイナスイオン等の諸々の岩盤温浴健康効果が期待される岩盤プレートの開発とこれを利用した岩盤温浴装置を提供することを課題とする。
【０００７】
そして第二には、岩盤プレートを特性のある温浴効果をあるものとし、かつ岩盤プレートを固有の製造方法によってより薄く成型し、独立した機器として作成し、かつ安全なものとすることが課題である。
【０００８】
第三には岩盤プレートを備えた温浴装置が故障が少なく、万一故障が起きても容易に交換や修理ができるようにすることが課題である。
【０００９】
第四に装置とするときは、接触肌触りや見栄えが良く、豪華な印象を有するようにすることが課題である。
【００１０】
そして岩盤プレートを、より薄く成型作成する技術の開発などにより、岩盤温浴装置を比較的安価での製造を実現することが課題である。
さらにその技術をリクライニングチェア、車内シートなど他の岩盤浴製品にも容易に応用することを課題とするものである。
【課題を解決するための手段】
【００１１】
上記課題を解決するため、本考案は、遠赤外線放射特性の鉱石（1）を表層（11）にして凝固形成した薄い岩板（10）の下に保護材（4）と発熱体（5）と断熱材（6）を順次設け、前記岩板（10）の表層（11）を露出させてボックス（7）で囲繞し、前記発熱体（5）の接続端子(21)を備えた岩盤プレート（30）を着脱自在に設けた岩盤温浴装置を提案する。
【００１２】
岩板（10）は、粉砕鉱石（1）や礫状等の鉱石（1）を、浅い成型トレイにばら撒き或いは散布して薄く敷設して表層（11）を形成した後、当該表層（11）の上に凝固材（2）を均等に流し込んで凝固させた岩板（10）を形成し、裏返して表面研磨加工して作成するものである。
浅い成型トレイで作成するので、スライス切断工程などがなくても薄い岩盤プレートが作成できるし、切断工具による切断で無駄な切断屑の発生もない。
特定産地の特性の顕著な鉱石は高価なものも多く無駄をしないことは、大きく製造費に影響する。
遠赤外線やマイナスイオンやゲルマニウム特性があるために鉱石（1）が高価であるものは、その粉砕屑も有効に利用する必要があり、成型トレイでの作成は非常に有利である。
【００１３】
岩板（10）は、１，０ｍｍ〜３０ｍｍ程度に薄くできるもので、その平面視形状も、成型トレイで、矩形・円形・楕円形・など任意にできるし、又成型トレイの底に凹凸や円突起、半球状突起などを形成しておくことで、任意の形状に容易に作成できる。
この成型方法によれば、表層（11）に遠赤外線放射鉱石を多く露出させるという特徴のほか、他の鉱石や他の特性物質を混在させたり、それらを一定厚の中間層として形成することもできる。
【００１４】
凝固材（2）は、特殊セメントであり、例えば「ダクタル」（登録商標）などを利用することができる。
【００１５】
この岩板（10）の凝固材（2）部分の下には、保護材（4）、発熱体（5）断熱材（6）を順次設け、前記岩板（10）の表層（11）表面を露出させて金属製等のボックス（7）で囲繞する。
発熱体(5)の接続端子(21)は、側面に露出して設けられる。
岩盤プレート（30）を着脱自在に装置に設けるということは、発熱体(5)のワンタッチコネクタである接続端子(21)に差し込むコネクタ(22)が、岩盤プレート（30）を装填する装置の収納凹部に設けられていて、岩盤プレート（30）を電気的接続し嵌め込み装填するだけで良い構成を意味する。
【００１６】
発熱体(5)は、いわゆる面状発熱体を使用して実施する例を示しているが、これは安全にかつ所定温度に発熱するものであれば良く、ニクロムヒータやカーボンヒータやシーズヒータでもよく、特に形状や性質、機構を限定するものではない。
【００１７】
発熱体(5)は、温熱を岩板（10）に付与して、表層含有鉱石に相応して、熱効率良く遠赤外線放射温度域と人体に快適な温度域を付与できれば良い。
一定温度付与をする機構にしてもよく、また温度調整自在にも設計できる。
温度の調整のためのコントローラやタイマーは任意に付加設置できる。
【００１８】
岩盤プレート（30）の接続端子と電源からのフレキシブルコード（23）は防水、防滴（ＵＬ規格）のコネクタ（22）によって連結されて、ワンタッチで取付・取外しができる。
【００１９】
このような構成の岩盤プレート（30）は、ベッド等の温浴装置にその収納凹部に着脱自在に設けられ、岩盤温浴装置として実施される。
通常岩盤プレート（30）は、岩盤温浴装置であるベッドの表面と平坦に嵌め合わせて埋設装填されることになる。
【００２０】
ボックス（7）はステンレス製又はプラスチック製である。
ステンレスは、厚さ０，５ｍｍ〜３ｍｍで、岩板(10)の重量や大きさに合わせて設計される。
前記岩板（10）とボックス（7）とは隙間のないような寸法設計であるが、万一隙間が生じる場合を想定して、防水・防滴のためのコーキング（3）を施して形成している。
【００２１】
さらに、ボックス（7）は二段式のものも提案できる。
上段に岩板（10）を表層上面が露出するようにボックス（7）で覆った上段プレート（31）と、発熱体（5）と断熱材（6）をボックス（7）で覆った下段プレート（32）の二段構成にしたもの、或いは上段に岩板（10）を表層上面が露出するようにボックス（7）で覆った上段プレート（31）と、断熱材（6）をボックス（7）で覆った下段プレート（32）の二段構成からなり、前記上段プレート（31）と下段プレート（32）の上下のボックス（7）で発熱体（5）を挟着して交換自在にしたものが提案できる。
この構成では、発熱体（5）を面状ヒータとしている。
【００２２】
前記岩板（10）の表層（11）に露出する遠赤外線放射特性の鉱石（1）はブラックシリカ（黒鉛硅石）であり、前記中間層に混在するのは、ゲルマニウム鉱石及び又はトルマリン鉱石及び又は黒曜石である。
表層（11）にブラックシリカ（黒鉛硅石）を配することは不可欠であり、表面積の５０％以上を占めるのが好ましい。
【００２３】
前記岩板（10）の表層（11）の形状は、表面に凸凹を形成して凸条部（14）及び凹溝部（15）を形成したもの、或いは多数浅いの小孔を形成して表面積を拡大したものが提案される。
特に、前記岩板（10）の表層（11）表面に凸条部（14）及び凹溝部（15）を形成したものにおいて凹溝部（15）の底面が中央が高く左右が低いようになめらかな曲線状に湾曲しているもの、左右に傾斜して形成したものは、湿気の排気や汗等の水はけがよい。
【００２４】
岩盤プレート（30）は、ベッドやリクライニングシート、介護用ベッド、イス等の温浴装置に付設或いは埋設されて、岩盤温浴装置として一体として使用される。
【００２５】
例えば前記岩盤プレート（30）を設けた岩盤温浴装置は、背板（41）、腰板（42）、腿板（43）、脚板（44）からなるベッドであり、背板（41）、腰板（42）、腿板（43）、脚板（44）は電動モータや手動駆動によって屈折起伏回動自在にした岩盤温浴装置が提供できる。
前記背板（41）、腰板（42）、腿板（43）、脚板（44）のうち少なくともいずれか１つの板に、少なくとも1つ以上の岩盤プレート（30）を装填する収納凹部が設けられていて、着脱自在に埋設している。
前記岩盤プレート（30）を設けた岩盤温浴装置（40）は、リクライニングシート仕様にもできる。
【考案の効果】
【００２６】
本考案にかかる岩盤温浴装置よれば、次のような技術的効果がある。
（Ａ）コンパクトで薄い岩盤プレートであるので、ベッドやリクライニングシートに一体的に取付けることができ、全体としてコンパクトな岩盤温浴装置が提供できる。
（Ｂ）従来の岩盤浴施設のように床面や部屋全体の工事が不要となるため、場所を選ばず、設備コストは低減できる。
（Ｃ）エステティックサロン、ホテル、スポーツジム、温浴施設は勿論のこと、一般の家庭でも気軽に岩盤温浴を行うことができる。
（Ｄ）鉱石特有の温浴効果がある。
【００２７】
（Ｅ）底が溝条とか平面とかの浅いトレイに礫状等の鉱石（1）を薄く敷設して表層（11）を形成するため、製造工程ではスライスしたり、カットしたりする途上での鉱石のロスが少なく、ブラックシリカ、トルマリン鉱石等、高価な天然鉱石を無駄なく岩盤素材として使用することができる。
（Ｆ）鉱石をスライスしたり、カットしたりする工程が少なくなり、礫状鉱石も利用でき、この限りでは材料コストを大幅に下げることができる。
【００２８】
（Ｇ）発熱体を備える岩盤プレート（30）は、独立した機器となっている。故障単位や修理単位が小さいし、取り外して運搬修理も容易である。
（Ｈ）岩盤プレート（30）は、1個のコントローラー（24）に複数のコネクタ（22）とフレキシブルコード（23）が接続されて1個のコントローラー（24）で複数の種類の岩盤プレート（30）に対応できる接続装置と組み合わせて使用するので、より簡単な構成にすることができた。
（Ｉ）岩盤プレート（30）の接続端子(21)とフレキシブルコード（23）は防水、防滴（ＵＬ規格）のコネクタ（22）によって収納凹部内で連結されて、ワンタッチで取付・取外しができる。
【００２９】
そのほか、岩盤プレート(30)を独立のものとして構成し、取付自在な岩盤プレート(30)を着脱自在に埋設するという技術的思想に基づくので、通常のベッドのみにとどまらず、イスやリクライニングチェア、リラクゼーションルームベッド、車内シート等、他への応用を容易にし、その実施範囲を広げることができる。
【００３０】
起伏回動自在ベッドに適応するときでも、岩盤プレート（30）の埋設位置、埋設する数を任意に選択できる。
【００３１】
岩盤浴装置そのものの機能としても、例えば、遠赤外線放射をする鉱石(1)を表層に露出させ、凸凹を形成して凸条部（14）及び凹溝部（15）を有する岩板(10)からなる岩盤プレート（30）を使用する装置では、表面積が拡大するため、遠赤外線がもつ血行・発汗促進、疲労回復、老廃物の解毒排泄という温浴効果及び、中間層(13)にマイナスイオン発生特性を有する鉱石を入れたときはその鉱石がもつ精神安定作用、細胞活性化作用、血液浄化作用、免疫強化作用という効果を増大させることができる。
【００３２】
本考案によれば、岩盤プレート（30）を単に岩盤を切り出したものとして利用するのではなく、任意な選択によって鉱石を選び効果的な温浴効果が出せる機能を獲得できる構成にしたために、より経済的でかつ高品質な、岩盤温浴装置の提供を実現することができる。
よって、本考案は岩盤温浴装置に飛躍的技術改良をもたらすため、岩盤浴関連技術分野において有益な考案であると思われる。
【考案を実施するための最良の形態】
【００３３】
次に本考案に係る岩盤温浴装置の実施形態について、具体的に実施例を示す図面を参照して説明する。
【００３４】
本考案に係る岩盤温浴装置は、図９〜図１１の実施例１、実施例２、実施例３のように、基本構成としては、岩盤プレート（30）とこれをベッド等の表面装填収納凹部に着脱自在に取付けるベッドやリクライニングシート等の装置からなる。
【００３５】
実施例１、実施例２、実施例３は、いずれも遠赤外線放射特性の鉱石（1）を表層（11）に露出して凝固形成した薄い岩板（10）の下に保護材（4）と発熱体（5）と断熱材（6）を順次設け、前記岩板（10）の表層（11）を露出させてボックス（7）で囲繞し、発熱体（5）の接続端子(21)を備えた岩盤プレート（30）を、ベッド等の装填凹部に、電気的に接続し、着脱自在に装填し設けたものである。
【００３６】
そこでまず、本考案にかかる岩盤温浴装置と一体になる岩盤プレート(30)と、これを作成するための鉱石（1）及び岩板（10）及び岩盤プレート(30)について図１〜図８に基づいて説明する。
【００３７】
図１、図２は、岩盤プレート(30)の斜視図である。
図３は、岩盤プレート(30)の断面図、図４は二段式の構成の岩盤プレート(30)の断面図、図５は二段式で異なる構成の岩盤プレート(30)の断面図、図６は，凹凸状の岩板（10）の表層（11）の構造を示す斜視図、図７はそのＡ−Ａ線断面図で溝の底面を示す断面図、図８は同じく凹凸状の岩板（10）の斜視図である。
【００３８】
表層(11)及び中間層（13）に用いる鉱石（1）は、遠赤外線放射特性を有する天然鉱石又はセラミックとし、ブラックシリカ（黒鉛硅石）、ゲルマニウム鉱石、トルマリン鉱石、黒曜石等、遠赤外線やマイナスイオンを効率よく放射するものである。
人間が感じる比較的快適な温度域での遠赤外線放射量が適切な素材として、ブラックシリカ（黒鉛硅石）が好ましい。
ブラックシリカは、抗菌作用があり、マイナスイオンを発生し、３６度〜４２度の常温域で波長４−１４μｍの領域の遠赤外線（育成光線）を発生するものである。
多孔質な粗面で遠赤外線発生効率が高い。
そのほか本考案では成型トレイで作成するためにこれにカーボンやセラミックを追加調整するなどして適宜適正な素材を創作加工することができる。
ブラックシリカ（黒鉛硅石）のみで作成しても良く、セラミックを混在させ、又カーボン系として例えばサンゴや貝類、岩塩等を焼成して添加してもよい。遠赤外線放射の波長域の変化や放射量が急増する。岩盤プレート(30)がどこに収納装填されるかで、混在させるカーボン等を選択する。
【００３９】
これらの粉砕鉱石（1）や礫状等の鉱石（1）を、浅い成型トレイにばら撒き或いは散布して薄く敷設して表層（11）となる部分を形成した後、当該表層（11）の上に凝固材（2）を均等に流し込んで凝固させた岩板（10）を形成する。
鉱石（１）は底に定着する。
凝固後に、裏返すと、表面に８０％近く露出して黒い岩盤ができ、表面加工して岩板（10）を完成する。
浅い成型トレイで作成するので、スライス切断工程などがなくても薄い岩盤プレート(30)が作成できる。
しかも、鉱石微粉末を混合してしまうのではなく、なるべく表面に鉱石が露出するように表層に集中して散在させるので、ロスがなくプレート全体に対する含有比に拘わらず効果が期待できる。
【００４０】
岩板（10）の表層（11）表面の鉱石（1）は、遠赤外線を放射するために広面積や乱放射のために微細な粗面に形成するのが好ましい。
但し商品外観上鏡面仕上げや研磨の印象や光沢が必要な場合もあるので、表面にシリコンフッ素系の樹脂でコーテイングしてもよい。
岩板（10）は、１５ｍｍ〜４０ｍｍ程度に薄くできるもので、その平面視形状も、成型トレイのかたち次第で、矩形・円形・楕円形・など任意にできるし、又成型トレイの底に凹凸や円突起、半球状突起、模様や各店舗のマーク、などを形成しておくことで、任意の形状に容易に作成できる。
【００４１】
この成型方法によれば、表層（11）に遠赤外線放射鉱石を多く露出させるという特徴のほか、トルマリン鉱石等、他の鉱石(1)や、磁性体鉱石その他の特性物質を混在させたり、それらを一定厚の中間層(13)として形成することもできる。
凝固材（2）は、珪砂や反応性微粉末を使用した無機系特殊セメントであり、例えば「ダクタル」（登録商標  太平洋セメント株式会社）などを利用することができる。
岩板（10）を薄く作成するために、凝固材（2）のなかに、補強材として同大の面メッシュ生地を置くと良い。
【００４２】
この岩板（10）の凝固材（2）部分の下には、保護材（4）、発熱体（5）、断熱材（6）を順次設け、前記岩板（10）の表層（11）表面を露出させてステンレス製等のボックス（7）で囲繞した。
例えば、発熱体（5）としてシーズヒータを用いた場合は、伝熱と強度補強のために保護材（4）として数ミリ厚のアルミ板を用いて面接触させれば熱伝導良好になりかつ補強された岩板（10）を薄く作成できる。
この構成では、３５W程度で所望の４０度前後の温度域に表層(11)温度を維持できるので、省エネになる。
発熱体(5)の接続端子(21)は、側面に露出して設けられる。
発熱体（5）として面状ヒータを用いた場合は、保護材（4）としてアルミ板や不燃性ガラス繊維板などを用いる。
【００４３】
発熱体(5)は、遠赤外線やマイナスイオンの発生のためのいわゆる適正温度域を加熱できる性能で、安全にかつ所定温度に発熱するものであれば良く、特定のヒータに限定するものではない。
面状ヒータに限らず、ニクロムヒータやカーボンヒータ、シーズヒータでもよく、特に形状や性質、機構を限定するものではない。
発熱体(5)は、温熱を岩板（10）に付与して、表層含有鉱石に相応して、熱効率良く遠赤外線放射温度域と人体に快適な温度域を付与できれば良い。
【００４４】
温度の調整のためのコントローラーやタイマーは任意に付加設置できる。
岩盤プレート（30）の接続端子(21)とフレキシブルコード（23）は防水、防滴（ＵＬ規格）のコネクタ（22）によって連結されて、ワンタッチで取付・取外しができる。
このような構成の岩盤プレート（30）は、ベッド等の温浴装置の表面に設けられた収納凹部に着脱自在に嵌合して電気的接続をして設けられる。
つまり、岩盤プレート（30）の形状と温浴装置の収納凹部の形状は相互関係的に形成される。
そして通常、岩盤プレート（30）は、ベッドの表面と平坦に埋設される。
【００４５】
ボックス（7）はステンレス製又はプラスチック製又は木製である。
厚さ１ｍｍ〜0.5ｍｍで、岩板(10)の重量や大きさに合わせて選定される。
前記岩板（10）とボックス（7）とは隙間のないような寸法設計であるが、万一隙間が生じる場合を想定して、防水・防滴のためのコーキング（3）を施して形成している。
【００４６】
岩盤プレート（30）をベッド等の温浴装置の収納凹部に嵌合すると、ステンレス製ボックス（7）自体は、ベッド等の温浴装置の収納凹部に埋まり見えない状態になる。
デザイン的には、ベッドに岩盤が付設されているような印象で設置される。
【００４７】
図１は実施例１で用いられる背板（41）又は脚板（44）に装填される略正方形の岩盤プレート（30）を表すものである。
なお、図示されているように３つのコネクタ（22）はそれぞれのフレキシブルコード（23）によってコントローラー（24）に接続されているため、１個のコントローラー（24）で、３枚の岩盤プレート（30）やさまざまなタイプの岩盤プレート（30）への応用が可能である。
ワンタッチコネクタ（21）はＵＬ規格、コネクタ（22）とフレキシブルコード（23）はＭＩＬ規格によるものとした。
【００４８】
図２は実施例２で用いた背板（41）や脚板（44）のように長方形又は細長いタイプの岩盤プレート（30）を表わすものである。
なお、岩盤プレート（30）が有するワンタッチコネクタ（21）へコントローラー（24）のコネクタ（22）を接続すれば、通電・発熱体の温度が調節できる。
【００４９】
図３は図１に示す岩盤プレート(30)の断面図である。
遠赤外線放射特性の鉱石（1）を表層（11）に露出して凝固形成した薄い岩板（10）の下に保護材（4）と発熱体（5）と断熱材（6）を順次設け、前記岩板（10）の表層（11）を露出させてボックス（7）で囲繞し接続端子(21)を備えた岩盤プレート（30）を示している。
【００５０】
図４は二段式の構成の岩盤プレート(30)の断面図であるが、これは、上段に岩板（10）を表層上面が露出するようにボックス（7）で覆った上段プレート（31）と、発熱体(5)と断熱材（6）をボックス（7）で覆った下段プレート（32）の二段構成にしたものである。
【００５１】
図５は二段式で異なる構成の岩盤プレート(30)の断面図であって、岩盤プレート（30）として、上段に岩板（10）を表層上面が露出するようにボックス（7）で覆った上段プレート（31）と、断熱材（6）をボックス（7）で覆った下段プレート（32）の二段構成からなり、この上下のボックス（7）の間に前記発熱体（5）を挟着して交換自在にしたものである。
いずれの二段式も、発熱体(5)を交換自在としているので、その部品の交換が容易である構成になっている。
【００５２】
前記岩板（10）の表層（11）に露出する遠赤外線放射特性の鉱石（1）はブラックシリカ（黒鉛硅石）であり、ブラックシリカ（黒鉛硅石）は、表層（11）全体に露出するように配置してある。
【００５３】
図６〜図８は、その岩板（10）の異なる構成を示すものである。
前記岩板（10）の表層（11）の形状は、表面に凸凹を形成して凸条部（14）及び凹溝部（15）を形成したもの、或いは多数浅いの小孔を形成して表面積を拡大したものが提案される。
特に、前記岩板（10）の表層（11）表面に凸条部（14）及び凹溝部（15）を形成したものにおいて凹溝部（15）の底面が中央が高く左右が低いようになめらかな曲線状に湾曲しているもの、左右に傾斜して形成したものは、湿気の排気や水はけがよい。
例えば、岩盤浴の発汗作用によって滴れてきた汗が凹溝部（15）に溜まらないというメリットがある。
凸条部（14）及び凹溝部（15）からなる表面積の拡大に伴う温浴効果の増大と、安全・衛生面の確保とを具えた構成になっている。
表面に凸条部（14）及び凹溝部（15）を形成したものは、表面積が拡大し、凹溝部（15）にこもり熱と湿気が滞留し、より多くの遠赤外線とマイナスイオンを浴することができるため、遠赤外線がもつ効果及びマイナスイオンがもつ効果を増大させることができる。
【００５４】
図８は、表層（11）にブラックシリカ、中間層(13)にゲルマニウム鉱石とトルマリン鉱石、その下に結合材である特殊セメント（12）からなる層とした３層からなる岩板（10）を表わしたものである。
鉱石（1）の表層(11)及び中間層（13）に用いる天然鉱石は、単一種類の鉱石を使用することも、複数種類の鉱石を混合して使用してもよい。
図８は、中間層(13)にゲルマニウム鉱石とトルマリン鉱石の混練層を形成するために、表層(11)にブラックシリカを散らして凝固材（2）を薄く延ばし、中間層(13)にはゲルマニウム鉱石とトルマリン鉱石を粉砕して略１：１で混練し、さらに凝固材（2）を入れて形成したものを示している。
中間層(13)には黒曜石なども利用できる。
【００５５】
岩盤プレート（30）は、ベッドやリクライニングシート、介護用ベッド、イス等に付設或いは埋設されて、岩盤温浴装置として一体として使用される。
例えば岩盤温浴装置は、背板（41）、腰板（42）、腿板（43）、脚板（44）からなるベッドであり、背板（41）、腰板（42）、腿板（43）、脚板（44）は電動モータや手動駆動によって屈折起伏回動自在にした装置であって、これに前記岩盤プレート（30）を設けた構成が提供できる。
前記背板（41）、腰板（42）、腿板（43）、脚板（44）のうち少なくともいずれか１つの板に、少なくとも1つ以上の岩盤プレート（30）を着脱自在に装着している。
【実施例１】
【００５６】
図９は、本考案による岩盤温浴装置の実施例１を示すもので、エステティックサロン用岩盤浴ベッドとなる岩盤温浴装置の斜視図である。
岩盤温浴装置として、屈折起伏３節電動ベッドに前記構成の岩盤プレート(30)を３箇所に着脱自在に設けたものである。
この実施例１では、背板（41）腿板（43）脚板（44）のそれぞれに1枚づつ岩盤プレート（30）を、枠と表面を平坦にして埋設し、腰板(42)には岩盤プレート(30)を設けない構成としている。
背板（41）と脚板（44）の表面中央には、大きめの方形の岩盤プレート(30)を装填し、腿板（43）には細長い長方形の岩盤プレート(30)を装填している。
腰板(42)に設けないのは、最初に腰掛ける箇所に該当するために、硬質感を与えないためである。
【００５７】
電動ベッドは、モータ、起伏装置、起伏装置に接続されてモータの駆動により起伏させる作動リンク機構やロープ機構で構成され、背板（41）腿板（43）脚板（44）を傾け動かすものである。
スイッチ、速度調整、傾斜調整の制御装置で、任意の姿勢が選択できる。
【００５８】
この岩盤温浴装置は、バスタオルを敷いて横臥し、さらにバスタオルをかけて、スイッチをＯＮにすると，発熱体(5)を所定時間一定温度に加熱し始め、岩盤プレート(30)が所定の温度になると、岩盤プレート(30)の表面から直接に遠赤外線が連続的に放射されて、身体の芯に温熱が付与される。
マイナスイオンも放出され，髪はさらさらに滑るように梳ける。
中間層にトルマリン鉱石を多く含有する中間層を備えた岩盤プレート(30)の場合はマイナスイオンで髪はさらさらになる印象である。
このことは、頭髪部分はマイナスイオンは多く発生する鉱石含有岩盤プレート(30)を作成して配置し、腰部や足は遠赤外線放射の鉱石含有岩盤プレート(30)を作成して配置することを示唆する。
本考案では、このような鉱石の調整や岩盤プレート(30)の配置の変換も可能である。
【実施例２】
【００５９】
図１０は本考案による岩盤温浴装置の実施例２を示す斜視図である。
この実施例２では背板（41）に２枚の岩盤プレート(30)を装填し、脚板（44）に縦長変形の岩盤プレート(30)を４枚装填している。
このそれぞれの岩盤プレート(30)は、表層(11)の組成成分を異なるものとしていて、遠赤外線放射やマイナスイオンの付与を行う。
比較的小さく作成された岩盤プレート(30)は、横臥する部位に所望の岩盤プレート(30)を配置できるので、さらに細やかな対応が可能である。
【実施例３】
【００６０】
図１１は、リクライニングシート仕様とした岩盤温浴装置の実施例３の斜視図である。
この実施例３では背板（41）の頭部方向の端に頭板（45）を設け、ベッド枠（46）を角度調節ねじ（47）によって傾斜角度自在にして支持脚（48）を設けてリクライニングシート仕様となっている。
この実施例３は、ベッド枠（46）支持脚（47）を低く工夫すれば、狭い箇所でのリラックスシートとしても設置可能となる。
又、衣類を着用してのイスでの仕様の場合は、岩盤プレート(30)の表面は、座りやすい湾曲などが必要であるが、本考案では凝固材(2)で成型するので、このような要請にも答えることができる。
【００６１】
以上実施例１，２，３について説明したが、これらは一例にすぎず、ある実施例と他の実施例と組合せたり、目的とする用途に合わせて岩盤プレート（30）の大きさや形状も自在に変更することができ、装填埋設する対象、位置、数等を自由に選択することが可能なため、様々なデザインや形態の岩盤温浴装置（40）の実施が可能である。
【産業上の利用可能性】
【００６２】
（Ｊ）本考案に係る岩盤温浴装置の岩盤プレートは、低温暖房、小区域暖房として浴室暖房素材、床暖房素材，雪溶融庭石、壁暖房などの素材として利用可能である。
（Ｋ）岩盤温浴装置は、岩盤温浴のために用いることをはじめ、リラクゼーションベッド、サウナベッド、スポーツジムベッド、エステティックサロンのエステベッド，イス類などに利用できる。
理美容院のイスや、病院の待合イスなどにも利用できる。
【図面の簡単な説明】
【００６３】
【図１】本考案に係る岩盤温浴装置の実施例に使用する岩盤プレートを示した斜視図である。
【図２】同じく岩盤プレートの異なる例を示す斜視図である。
【図３】岩盤プレートの断面図である。
【図４】同じく二段式岩盤プレートの断面図である。
【図５】同じく異なる二段式の岩盤プレートの断面図である。
【図６】凹凸状の岩盤プレートの斜視図である。
【図７】図６のＡ−Ａ線断面図である。
【図８】凹凸状の岩盤プレートの斜視図である。
【図９】本考案に係る岩盤温浴装置の実施例１であって、岩盤プレートを備えた電動ベッドの斜視図である。
【図１０】本考案に係る岩盤温浴装置の実施例２であって、岩盤プレートを多数備えたベッドの斜視図である。
【図１１】本考案に係る岩盤温浴装置の実施例３であって、岩盤プレートを備えたシートの斜視図である。
【符号の説明】
【００６４】
１      鉱石
２      凝固材
３      コーキング
４      保護材
５      発熱体
６      断熱材
７      ボックス
１０    岩板
１１    表層
１２    特殊コンクリート
１３    中間層
１４    凸条部
１５    凹溝部
２１    ワンタッチコネクタ（接続端子）
２２    コネクタ
２３    フレキシブルコード
２４    コントローラー
３０    岩盤プレート
３１    上段プレート
３２    下段プレート
４０    岩盤温浴装置
４１    背板
４２    腰板
４３    腿板
４４    脚板
４５    頭板
４６    ベッド枠
４７    角度調節ねじ
４８    支持脚
【図１】
0003122095.tif 000003
【図２】
0003122095.tif 000004
【図３】
0003122095.tif 000005
【図４】
0003122095.tif 000006
【図５】
0003122095.tif 000007
【図６】
0003122095.tif 000008
【図７】
0003122095.tif 000009
【図８】
0003122095.tif 000010
【図９】
0003122095.tif 000011
【図１０】
0003122095.tif 000012
【図１１】
0003122095.tif 000013